(57)【要約】【課題】従来、風呂敷は方形状が一枚の布で形成される簡便形状構造であることが特徴である故に、拡げて物品を包装した場合に小物まで一緒に包装すると取出す際には風呂敷を解いて取出さねばならず煩雑であった。これを回避する工夫として風呂敷表面にポケットを付着する構造が考えられが、いろいろな形状の物品を包装できる一枚の布という特徴の故に外表面に形成したポケットの位置が物品包装に支障とならないような場所に常に位置するとは限らず包装形態によっては使い勝手の悪い状態となる。【解決手段】二枚の方形風呂敷を重ねて略中央部分を所定形状に縫製して物品包装形態における底部となる底部縫製部を形成すると共に、重ねた二枚の方形風呂敷の周縁部をポケット開口部を残して一体縫製して方形風呂敷の二枚重ねの空間部を小物収納用のポケットとしたことを特徴とするポケット付き風呂敷に係る。【選択図】図３
2020203702.tif 000002
【特許請求の範囲】
【請求項１】
二枚の方形風呂敷を重ねて略中央部分を所定形状に縫製して物品包装形態における底部となる底部縫製部を形成すると共に、重ねた二枚の方形風呂敷の周縁部をポケット開口部を残して一体縫製して方形風呂敷の二枚重ねの空間部を小物収納用のポケットとしたことを特徴とするポケット付き風呂敷。
【請求項２】
ポケット開口部の左右端縁部近傍と底部縫製部との間を縫製することによりポケット開口部に連なるポケット側縁部を形成したことを特徴とする請求項１に記載のポケット付き風呂敷。
【請求項３】
重ねた二枚の方形風呂敷の角部において下側または上側の風呂敷のいずれかの角部を一部切削したことを特徴とする請求項１又は請求項２に記載のポケット付き風呂敷。
【請求項４】
重ねた二枚の方形風呂敷の角部に開口したポケット開口部を除いた状態で二枚の方形風呂敷の周縁部を一体縫製することにより方形風呂敷の二枚重ね空間部をポケット開口部に連なる小物収納用のポケットとしたことを特徴とする請求項１〜３のいずれか１項に記載のポケット付き風呂敷。
【発明の詳細な説明】
【技術分野】
【０００１】
本発明は、二枚の風呂敷を縫い合わせることによりその間に形成された空間をポケットとして使用できるように構成したポケット付き風呂敷に関する。
【背景技術】
【０００２】
従来、風呂敷は日本人古来からの包装具として珍重されている。その理由は包装しない状態では折り畳んで携帯に容易な態様とすることができる一方、使用時には拡げて包装物の形状に係りなく包装可能であり、包装時には方形状の対角線状の角部分を結束して携行に便利な形態とすることができるという特徴を有するからである。
【０００３】
ところが、風呂敷はいずれも方形状の一枚布で形成される簡便形状構造であることが特徴である故に、拡げて物品を包装した場合に扇子やハンカチ、小銭入れ等の小物まで一緒に包装すると風呂敷から取出す際に結束部分を解いて取出さねばならず煩雑となる。
【０００４】
これを回避するための工夫として表面にポケットを備えた風呂敷（例えば特許文献１及び特許文献２参照。）が考えられる。
【先行技術文献】
【特許文献】
【０００５】
【特許文献１】特平２００８−６２９８３号
【特許文献２】実全昭６１−２０５９５９号
【発明の概要】
【発明が解決しようとする課題】
【０００６】
しかしながら、上記従来の風呂敷はいずれも、いろいろな形状の物品を包装する一枚布という風呂敷の特徴故に表面に形成したポケットの位置が物品包装に支障となり、常に結束に支障とならない位置にポケットが位置するとは限らず包装形態によっては使い勝手の悪い状態となる。
【０００７】
本発明では、二枚の風呂敷を縫製することによりその間の空間をポケット空間とすることによりポケットの位置を気にすることなく風呂敷本来の包装機能を果たしながら小物の取出しも物品包装のまま簡易にかつ確実に行えると共に、小物の収納作業も容易で物品の収納作業時にポケット位置が支障とならず、しかも、風呂敷の角部の結束状態でポケットの開口部が閉塞形態となり収納物がこぼれない等の機能を有し風呂敷の有効用途を拡大できるポケット付き風呂敷を提供するものである。
【課題を解決するための手段】
【０００８】
この発明は、二枚の方形風呂敷を重ねて略中央部分を所定形状に縫製して物品包装形態における底部となる底部縫製部を形成すると共に、重ねた二枚の方形風呂敷の周縁部をポケット開口部を残して一体縫製して方形風呂敷の二枚重ねの空間部を小物収納用のポケットとしたことを特徴とするポケット付き風呂敷を提供せんとするものである。
【０００９】
また、ポケット開口部の左右端縁部近傍と底部縫製部との間を縫製することによりポケット開口部に連なるポケット側縁部を形成したことにも特徴を有する。
【００１０】
また、重ねた二枚の方形風呂敷の角部において下側または上側の風呂敷のいずれかの角部を一部切削したことにも特徴を有する。
【００１１】
また、重ねた二枚の方形風呂敷の角部に開口したポケット開口部を除いた状態で二枚の方形風呂敷の周縁部を一体縫製することにより方形風呂敷の二枚重ね空間部をポケット開口部に連なる小物収納用のポケットとしたことにも特徴を有する。
【発明の効果】
【００１２】
請求項１の発明によれば、二枚の方形風呂敷を重ねて略中央部分を所定形状に縫製して物品包装形態における底部となる底部縫製部を形成すると共に、重ねた二枚の方形風呂敷の周縁部をポケット開口部を残して一体縫製して方形風呂敷の二枚重ねの空間部を小物収納用のポケットとしたことにより、重ねた二枚の方形風呂敷は通常の風呂敷として物品の包装に使用できると共に、小物を収納する必要が生じた場合は二枚の方形風呂敷の間の空間を小物収納用のポケットとして使用でき、使用時には方形風呂敷の周縁部のポケット開口部から小物の出し入れをすることができるので風呂敷としての使用形態でもポケットとしての機能を損なうことなく多機能の使い勝手のよい風呂敷を提供することができる効果がある。
【００１３】
特に、風呂敷を角部同士で結束して包装形態にした場合にポケット開口部は角部の結束部分で密に圧着されて不用意に開き収納物が風呂敷外にこぼれ落ちるのを防止することができる効果がある。
【００１４】
また、請求項２の発明によれば、ポケット開口部の左右端縁部近傍と底部縫製部との間を縫製することによりポケット開口部に連なるポケット側縁部を形成したことにより、使用しやすいポケット形状を構成するができる効果がある。
【００１５】
また、請求項３の発明によれば、重ねた二枚の方形風呂敷の角部において下側または上側の風呂敷のいずれかの角部を一部切削したことにより、ポケット開口部を風呂敷の角部の位置で使用しやすい形状構造に形成することができるためポケットからの小物の出し入れが容易となる効果がある。
【００１６】
また、請求項４の発明によれば、重ねた二枚の方形風呂敷の角部に開口したポケット開口部を除いた状態で二枚の方形風呂敷の周縁部を一体縫製することにより方形風呂敷の二枚重ね空間部をポケット開口部に連なる小物収納用のポケットとしたことにより、風呂敷を角部同士を結束して収納物品を包装にした場合にポケット開口部は角部の結束部分で閉塞されることになるので不用意に開き収納物が風呂敷外にこぼれ落ちるのを防止することができる効果がある。
【図面の簡単な説明】
【００１７】
【図１】実施例１に係るポケット付き風呂敷の展開状態における構成を示す平面図である。
【図２】実施例１に係るポケット付き風呂敷の構成を示すＡ−Ａ断面図及びＢ−Ｂ断面図である。
【図３】実施例１に係るポケット付き風呂敷の使用例を示す斜視図である。
【図４】実施例２に係るポケット付き風呂敷の展開状態における構成を示す平面図である。
【図５】実施例３に係るポケット付き風呂敷の展開状態における構成を示す平面図である。
【図６】実施例４に係るポケット付き風呂敷の展開状態における構成を示す平面図である。
【図７】実施例５に係るポケット付き風呂敷の展開状態における構成を示す平面図である。
【図８】実施例６に係るポケット付き風呂敷の展開状態における構成を示す平面図である。
【図９】実施例７に係るポケット付き風呂敷の展開状態における構成を示す平面図である。
【図１０】実施例８に係るポケット付き風呂敷の展開状態及び使用例を示す説明図である。
【発明を実施するための形態】
【００１８】
この発明の要旨は、二枚の方形風呂敷を重ねて略中央部分を所定形状に縫製して物品包装形態における底部となる底部縫製部を形成すると共に、重ねた二枚の方形風呂敷の周縁部をポケット開口部を残して一体縫製して方形風呂敷の二枚重ねの空間部を小物収納用のポケットとしたことを特徴とするポケット付き風呂敷に関する。
【００１９】
また、ポケット開口部の左右端縁部近傍と底部縫製部との間を縫製することによりポケット開口部に連なるポケット側縁部を形成したことにも特徴を有する。
【００２０】
また、重ねた二枚の方形風呂敷の角部において下側または上側の風呂敷のいずれかの角部を一部切削したことにも特徴を有する。
【００２１】
また、重ねた二枚の方形風呂敷の角部に開口したポケット開口部を除いた状態で二枚の方形風呂敷の周縁部を一体縫製することにより方形風呂敷の二枚重ね空間部をポケット開口部に連なる小物収納用のポケットとしたことにも特徴を有する。
【００２２】
以下、この発明の実施例を図面に基づき詳細に説明する。なお、以下において、図中の点線部分は各種縫着部を示し、破線はポケット開口部を示す。
【００２３】
［実施例１］
図１は実施例１に係るポケット付き風呂敷の展開状態における構成を示す平面図、図２（ａ）は実施例１に係るポケット付き風呂敷の構成を示すＡ−Ａ断面図、図２（ｂ）は実施例１に係るポケット付き風呂敷の構成を示すＢ−Ｂ断面図、図３（ａ）及び図３（ｂ）は実施例１に係るポケット付き風呂敷の使用例を示す斜視図である。
【００２４】
本発明の実施例１に係るポケット付き風呂敷Ａ１（以下、単に風呂敷とも言う。）は、二枚の方形風呂敷１０、２０を重ねてポケット開口部３１を除いて二枚の方形風呂敷１０、２０の周縁部１１、２１を周縁縫着部４０により互いに縫製し、重ねた二枚の方形風呂敷１０、２０の間の空間部分を小物収納空間、すなわちポケット３０に構成したことにある。
【００２５】
図１及び図２（ａ）に示すように、方形状の上側風呂敷１０と該上側風呂敷１０と同形同大の下側風呂敷２０とを互いに中心部を重ねて配置すると共に方形各辺を平行に配置している。すなわち、上側風呂敷１０の外面が物品を載置収納する際のポケット付き風呂敷Ａ１の内側収納面になり、下側風呂敷２０の外面がポケット付き風呂敷Ａ１の外側底面となる。
【００２６】
各方形風呂敷１０、２０の生地の素材や柄は、本発明に係るポケット付き風呂敷を構成できるものであれば特に限定されることはない。各方形風呂敷１０、２０の素材としては、例えば、例えば綿、絹、アクリル、ポリエステル、ウール、ナイロン、ポリウレタン、コットン、麻、レーヨン、ニット素材、紙のいずれか又はこれらの素材を組み合わせたものを採用することができる。また、各方形風呂敷１０、２０はそれぞれ、素材や柄や色を違えることができるのは勿論である。
【００２７】
また、各方形風呂敷１０、２０の生地全周端縁は、端縁に沿って内側又は外側に1回折り又は２回折りを施して縫着する折り返し縫製が施されており、生地のほつれを防止をしている。
【００２８】
重ね合わせた二枚の方形風呂敷１０、２０の略中央部分には、円形や正方形などの各種所定形状の外形に沿って一体縫製した中央縫着部４１により、図３（ａ）に示すように物品Ｂの包装をした際の包装底部となる所定形状の底部縫製部５０を形成している。
【００２９】
底部縫製部５０は、中央縫着部４１により開口のない無端状の完全閉塞領域として形成され、その平面視形状は特に限定されることなく方形風呂敷１０、２０の互いの方形対角線同士によりなす中心部に該形状の中心部、例えば円形であれば円の中心部、正方形状であれば対角線同士によりなす中心部を配置するようにして形成している。
【００３０】
また、重ねた二枚の方形風呂敷１０、２０の周縁部１１、２１は、方形風呂敷角部１２、２２に開口したポケット開口部３１を除いて周縁縫着部４０により一体縫製している。
【００３１】
すなわち、重ね合わせた方形風呂敷１０、２０の方形各辺の略中央位置の周縁部１１、２１を縫製することにより周縁縫着部４０を形成すると共に同周縁縫着部４０の両側に位置した方形風呂敷１０、２０の角部に方形風呂敷１０、２０の間の空間を開口させるポケット開口部３１を形成する。
【００３２】
換言すれば、周縁縫着部４０により周縁部１１、２１を縫着された重ねた二枚の方形風呂敷１０、２０の間の空間が小物収納空間としてのポケット３０となり、その取出し口が方形風呂敷角部１２、２２に開口してポケット開口部３１を形成していることになる。このようなポケット３０が、重ねた方形風呂敷１０、２０の各角部１２、２２の直下で４つ配設される。
【００３３】
しかも、図１、図３（ａ）及び図３（ｂ）に示すように、ポケット３０への収納作業が行い易いように二枚の方形風呂敷１０、２０の上側或いは下側の一方の風呂敷１０、２０のいずれかの角部１２、２２を一部三角状に切削している。なお、本実施例では下側風呂敷２０の４つの角部２２、２２、２２、２２を三角状に切削している。
【００３４】
すなわち、二枚の方形風呂敷１０、２０のうち、上側或いは下側の風呂敷１０、２０のいずれか一方の風呂敷は平面視略八角形状に形成され、同一方の風呂敷の八角形状の周回りについて、各辺交互にポケット開口部３１と周縁縫着部４０とを形成している。
【００３５】
このような構成により、図３（ｂ）に示すように物品を包装して風呂敷の対角線上の角部同士を締結する場合にポケット付き風呂敷Ａ１の角部１２、１２同士の結束の作業が行いやすく、またポケット３０のポケット開口部３１からの小物Ｃの出し仕入れ作業も行い易くなる。
【００３６】
また、図１及び図２（ｂ）に示すように、ポケット開口部３１の左右端縁部３４、３４’と底部縫製部５０との間を縫製することによりポケット開口部３１に連なるポケット側縁部３２、３２’を形成している。
【００３７】
具体的には、ポケット側縁部３２、３２’は、左右端縁部３４、３４’から方形風呂敷１０、２０の中心部、すなわち底部縫製部５０を形成する中央縫着部４１に向かって互いに内側に傾斜して伸延し、平面視におけるポケット３０の幅員を漸次狭幅とするように縫着形成している。
【００３８】
すなわち、ポケット３０は方形風呂敷周縁のポケット開口部３１とポケット側縁部３２、３２’と底部縫製部５０とにより囲繞された空間により形成されていることになる。
【００３９】
具体的には、ポケット３０は、二枚重ねの方形風呂敷１０、２０の表面において、角部近傍部分で平面視略扇状に形成されると共に、方形各辺の角部分で開口したポケット開口部３１と、ポケット開口部３１の幅員より幅狭の底部縫製部５０の中央縫着部４１の一部と、ポケット開口部３１の両端と中央縫着部４１に一部の両端との間でポケット開口部３１の幅員をポケットの内方に向けて漸次幅狭とするように伸延するポケット側縁部３２、３２’とにより囲まれた空間部分として形成している。
【００４０】
このような構成により、図３（ｂ）に示すように物品包装形態としたポケット付き風呂敷Ａ１のポケット３０における幅広のポケット開口部３１が風呂敷Ａ１から外側開口すると共に上方開口し、ポケット３０に収納した小物Ｃが不用意にポケット３０から飛び出ることを防止すると共に小物Ｃの出し仕入れ作業を容易にしている。
【００４１】
［実施例２］
図４は実施例２に係るポケット付き風呂敷の展開状態における構成を示す平面図である。実施例２に係るポケット付き風呂敷Ａ２は、図４に示すように、ポケット３０ａのポケット開口部３１ａを風呂敷の角部１２、２２ではなくその近傍、例えば角部１２、２２の左右側方の風呂敷側端縁部に形成するように角部１２、２２の三角二等辺部１１ａ、２１ａは縫製した形状とする。
【００４２】
すなわち、重ね合わせた方形風呂敷１０、２０の方形各辺の略中央位置をポケット開口部３１ａに形成すると共にポケット開口部３１ａの両側を縫製することにより周縁縫着部４０ａを角部１２、２２に形成している。
【００４３】
底部縫製部５０ａは、重ねた二枚の方形風呂敷１０、２０の略中央部分で略方形無端形状に縫製した中央縫着部４１ａにより平面視方形状（正方形状）に形成している。
【００４４】
しかも、ポケット開口部３１ａの左右端縁部３４ａ、３４ａ’から底部縫製部５０ａにわたって縫製してポケット側縁部３２ａ、３２ａ’を形成することにより小物収容空間としてのポケット３０ａを形成する。
【００４５】
ポケット側縁部３２ａ、３２ａ’はそれぞれ、ポケット開口部３１ａの左右端縁部３４ａ、３４ａ’から方形状の底部縫製部５０ａの角部に向けて方形風呂敷１０、２０の側縁と直交する方向に伸延して縫着形成している。
【００４６】
換言すれば、ポケット３０ａは、二枚重ねの方形風呂敷１０、２０の表面において、方形各辺の中央部分で平面視略方形状に形成され、ポケット開口部３１ａと、同ポケット開口部３１ａと同一の長さで平行に伸延する周縁縫着部４０ａの一部と、ポケット開口部３１ａと周縁縫着部４０ａの一部の両端の間でそれぞれに直交して伸延する左右のポケット側縁部３２ａ、３２ａ’とで囲まれた空間部分として形成している。
【００４７】
かかる構成によりポケット開口部３１ａが風呂敷Ａ２の結束角部に位置しないために小物Ｃの収納や取出し等の作業が行い易くなると共に風呂敷Ａ２の角部同士の結束作業が容易となる。
【００４８】
［実施例３］
図５は実施例３に係るポケット付き風呂敷の展開状態における構成を示す平面図である。実施例３に係るポケット付き風呂敷Ａ３において、図５に示すように、ポケット開口部３１ｂは物品Ｂの収納結束時における風呂敷の側面の所定位置、例えば角部の結束位置に遠い位置に形成し、ポケット開口部３１ｂの両端縁から底部縫製部５０ｂにかけて縫製して左右のポケット側縁部３２ｂ、３２ｂ’形成することによりポケット３０ｂを形成する。
【００４９】
具体的には、重ね合わせた方形風呂敷１０、２０の方形各辺の周縁部１１、２１の中央を短尺状に縫製することにより短尺周縁縫着部４０ｂを形成すると共に同周縁縫着部４０ｂの両側の周縁部１１、２１の大部分を開口幅を大にしたポケット開口部３１ｂを形成する。
【００５０】
底部縫製部５０ｂは、重ねた二枚の方形風呂敷１０、２０の略中央部分で円形無端形状に縫製した中央縫着部４１ｂにより円形状に形成している。
【００５１】
ポケット側縁部３２ｂ、３２ｂ’はそれぞれ、左右端縁部３４ｂ、３４ｂ’から方形風呂敷１０、２０の中心部、すなわち底部縫製部５０ｂを形成する中央縫着部４１ｂに向かって互いに内側に傾斜して伸延し、平面視におけるポケット３０ｂの幅員を漸次狭幅とするように縫着形成している。
【００５２】
かかる構成により風呂敷Ａ３の結束角部同士で結束して物品全体を丸く包被した場合には、幅広に開口したポケット開口部３１ｂが側周面の略全域に位置して風呂敷外部からの小物Ｃの収納取出し作業が容易となると共に風呂敷Ａ３の角部１２、２２にポケット開口部３１ｂが位置しないために物品Ｂの収納時の風呂敷Ａ３の結束作業が容易となる。
【００５３】
［実施例４］
図６は実施例４に係るポケット付き風呂敷の展開状態における構成を示す平面図である。実施例４に係るポケット付き風呂敷Ａ４において、図６に示すように、ポケット開口部３１ｃは物品Ｂの収納結束時における風呂敷の側面の所定位置、例えば角部の結束位置に近い位置に形成し、ポケット開口部３１ｃの両端縁から底部縫製部５０ｃにかけて縫製して左右のポケット側縁部３２ｃ、３２ｃ’形成することによりポケット空間部を形成する。
【００５４】
具体的には、重ね合わせた方形風呂敷１０、２０の方形各辺の周縁部１１、２１の大部分を長尺状に縫製することにより長尺の周縁縫着部４０ｃを形成すると共に同周縁縫着部４０ｃの両側の方形風呂敷１０、２０の角部に方形風呂敷１０、２０の間の空間を開口させるポケット開口部３１ｃを開口幅を幅狭にして形成する。
【００５５】
底部縫製部５０ｃは、重ねた二枚の方形風呂敷１０、２０の略中央部分で円形無端形状に縫製した中央縫着部４１ｃにより円形状に形成している。
【００５６】
ポケット側縁部３２ｃ、３２ｃ’はそれぞれ、左右端縁部３４ｃ、３４ｃ’から方形風呂敷１０、２０の中心部、すなわち底部縫製部５０ｃを形成する中央縫着部４１ｃに向かって互いに内側に傾斜して伸延し、平面視におけるポケット３０ｃの幅員を漸次狭幅とするように縫着形成している。
【００５７】
換言すれば、ポケット３０ｃは、角部１２、２２の直下で仮想対角線上に軸心を配置した細長扇状とし、扇子や万年筆などの長尺小物の収納に適合した形状とする。
【００５８】
かかる構成により幅狭のポケット開口部３１ｃが結束角部の直下に位置しているため、風呂敷Ａ４の結束角部同士を同ポケット開口部３１ｃごと結束して同ポケット開口部３１ｃを閉塞し、ポケット３０ｃに収納した長尺小物が外部に飛び出ることを防止することができる。
【００５９】
［実施例５］
図７は実施例５に係るポケット付き風呂敷の展開状態における構成を示す平面図である。実施例５に係るポケット付き風呂敷Ａ５において、図７に示すように、二枚重ねの方形風呂敷１０、２０ｄのうち、上側或るいは下側の一方の風呂敷２０ｄは、下側或るいは上側の他方の風呂敷１０よりも小さい相似方形状としている。
【００６０】
すなわち、本実施例に係るポケット付き風呂敷Ａ５は、大小二枚の方形風呂敷１０、２０ｄからなり、互いに中心部を重ねて配置すると共に方形各辺を平行に配置し、一方の小さい風呂敷２０ｄの周縁部２１ｄをポケット開口部３１ｄを除いて他方の大きい風呂敷１０に縫製し、重ねた二枚の方形風呂敷１０、２０ｄの間の空間部分を小物収納空間としてのポケット３０ｄを構成している。
【００６１】
底部縫製部５０ｄは、重ねた二枚の方形風呂敷１０、２０ｄの略中央部分で円形無端形状に縫製した中央縫着部４１ｄにより円形状に形成している。
【００６２】
ポケット側縁部３２ｄ、３２ｄ’はそれぞれ、小さい風呂敷２０ｄと大きい方形風呂敷１０とよりなすポケット開口部３１ｄ左右端縁部３４ｃ、３４ｃ’から方形風呂敷１０、２０ｄの中心部、すなわち底部縫製部５０ｄを形成する中央縫着部４１ｄに向かって互いに内側に傾斜して伸延し、平面視におけるポケット３０ｄの幅員を漸次狭幅とするように縫着形成している。
【００６３】
しかも、小さい風呂敷２０ｄの各角部２２ｄは切削してポケット開口部３１ｄを風呂敷Ａ５の角部１２の位置で使用しやすい形状構造に形成している。
【００６４】
かかる構成により風呂敷Ａ５を物品包装形態にした場合には、表側に小さい風呂敷２０ｄを大きい風呂敷１０と一体に露出させ、例えば各方形風呂敷１０、２０ｄの表面の柄や色を違えることで風呂敷の優れた意匠的外観を呈することができる効果がある。
【００６５】
［実施例６］
図８は実施例６に係るポケット付き風呂敷の展開状態における構成を示す平面図である。実施例６に係るポケット付き風呂敷Ａ６において、図８に示すように、ポケット開口部３１ｅの左右端縁部近傍と底部縫製部５０ｅとの間で伸延するポケット側縁部３２ｅ、３２ｅ’は、それぞれポケット３０ｅの内側に拡開する略Ｌ字形状となるように縫製して形成している。
【００６６】
ポケット開口部３１ｅは、重ねた二枚の方形風呂敷１０、２０の角部１２、２２に開口するように、同開口を除いた状態で二枚の方形風呂敷１０、２０の周縁部を一体縫製して形成している。
【００６７】
また、ポケット側縁部３２は、二枚重ね合わせた方形風呂敷１０、２０において、周縁部１１、２１の左右方向中央部分を同周縁に沿って直線上に縫製した周縁縫着部４０の半部４０ｅと、周縁縫着部４０（周縁部１１、２１）の中央位置で周縁縫着部４０の伸延方向と略直交するように内側の底部縫製部５０ｅに向けて直線状に縫製した略Ｌ字形状の他辺に相当する中央縫着部３３と、とで構成している。
【００６８】
周縁縫着部４０の半部４０ｅは、ポケット側縁部３２ｅの略Ｌ字一辺に相当し、ポケット開口部３１ｅの一端と周縁部１１、２１の略中央位置との間で伸延するように二枚の方形風呂敷１０、２０を縫着して形成している。
【００６９】
中央縫着部３３は、ポケット側縁部３２ｅの略Ｌ字他辺に相当し、周縁縫着部４０の半部４０ｅと連続するように半部４０ｅの一端から直角周縁縫着部４０の伸延方向と直交するように底部縫製部５０ｅの外周の中央縫着部４１ｅまで伸延するように二枚の方形風呂敷１０、２０を縫着して形成している。
【００７０】
すなわち、中央縫着部３３は、左右側で２つのポケット３０ｅを区画する仕切部として機能すると共に各ポケット３０ｅの左右側のポケット側縁部３２の一部を互いに共有する側壁共有部として機能する。このため重ね合わせた二枚の方形風呂敷１０、２０に１つの中央縫着部３３を順次縫製して形成していけば自ずと４つのポケット３０ｅが形成されるため、縫製作業の手間を簡略化することができる。
【００７１】
また、底部縫製部５０ｅは、略正方形状であって、その対角線を底部縫製部５０ｅの正方形の頂部に向けて四方から伸延する中央縫着部３３と同一直線上に配置すると共に底部縫製部５０ｅの各方形辺をポケット３０ｅの底部となるように構成している。
【００７２】
換言すれば、ポケット３０ｅは、左右側で内側に拡開する略Ｌ字形状のポケット側縁部３２ｅ、３２ｅ’と、ポケット側縁部３２ｅ、３２ｅ’の基端同士の間を直線上に伸延する底部縫製部５０ｅの方形一辺で囲まれ二枚の方形風呂敷１０、２０の間の空間であって、ポケット胴部略中央を幅員を最大幅とし、同ポケット中央胴部からポケット開口部３１ｅに向かって漸次幅狭にして構成している。かかる構成のポケット３０ｅは、平面視で底部縫製部５０ｅを中心に周回りに連続して４つ形成している。
【００７３】
このような構成により、ポケット３０ｅの収容面積が拡大すると共に収容量が増加することとなり、比較的大型の手鏡などの小物を収容できると共に沢山の小物を収容することができる。
【００７４】
また、ポケット付き風呂敷Ａ６を物品包装形態とした際には、風呂敷Ａ６の対角同士を結束することにより容易にポケット開口部３１ｅを閉塞することができ、ポケット３０ｅに収納した小物Ｃが不用意に外に飛び出ることを防止することができる。
【００７５】
［実施例７］
図９は実施例７に係るポケット付き風呂敷の展開状態における構成を示す平面図である。実施例７に係るポケット付き風呂敷Ａ７は、図９に示すように、重ね合わせた二枚の方形風呂敷１０、２０の角部１２、２２同士を互いに縫着して小尺略三角形の頂部縫製部６０を形成すると共に、周縁部１１、２１の略中央部分同士を縫着して頂部縫製部６０よりも大尺の略三角形の中央縫製部６１を形成し、頂部縫製部６０と中央縫製部６１との間にポケット３０ｆのポケット開口部３１ｆを形成している。
【００７６】
頂部縫製部６０は、平面視略二等辺三角形状であって、重ねた２枚の方形風呂敷１０、２０の方形角部において、周縁部を一体縫着して形成した二等辺三角形の２つ斜辺に相当する斜辺縫着部６０ａ、６０ａ’と、斜辺縫着部６０ａ、６０ａ’の端部同士の間を一体縫着して形成した二等辺三角形の底部に相当する底辺縫着部６０ｂと、により無端状の完全閉塞領域に形成している。
【００７７】
また、中央縫製部６１は、頂部縫製部６０よりも大きい平面視略二等辺三角形状であって、重ねた２枚の方形風呂敷１０、２０の周縁部１１、２１（方形一辺）の中央部を一体縫着して形成した二等辺三角形の底部に相当する底辺縫着部６１ａと、底辺縫着部６１ａの両端から内側に傾斜交差し、同交差部分を三角頂部にして底部縫製部５０に接するように一体縫着して形成した二等辺三角形の２つの斜辺に相当する斜辺縫着部６１ｂ、６１ｂ’と、により無端状の完全閉塞領域に形成している。
【００７８】
具体的には、重ねた２枚の方形風呂敷１０、２０の周縁部１１、２１の方形一辺を３等分した中央部分を縫着して底辺縫着部６１ａを形成し、同底辺縫着部６１ａの一端と隣接する方形他辺の底辺縫着部６１ａの他端との間を方形風呂敷１０、２０の対角線に平行とするように直線状に縫着して斜辺縫着部６１ｂ、６１ｂ’を形成している。
【００７９】
すなわち、本実施例に係るポケット付き風呂敷Ａ７は、方形風呂敷１０、２０の周縁部１１、２１の各周縁部の四辺における４つの中央縫着部６２の端部同士の間で方形風呂敷１０、２０の各対角線に平行な４つの斜辺縫着部６１ｂ、６１ｂ’を伸延して縫着することにより、方形風呂敷１０、２０の中央部に平面視略正方形状の底部縫製部５０ｆと同底部縫製部５０ｆの頂部上方に平面視略三角形状の中央縫製部６１とを構成し、底部縫製部５０ｆ及び中央縫製部６１以外の部分をポケット３０ｆに構成している。換言すれば、底部縫製部５０ｆを形成するための方形中央縫着部４１ｆは、各斜辺縫着部６１ｂ、６１ｂ’の伸延部分で構成していることとなる。
【００８０】
ポケット３０ｆは、頂部縫製部６０を最頂部に配置し、底部縫製部５０ｆの方形一辺を底部とすると共に中央縫製部６１の傾斜一側辺を左右側のポケット側縁部３２ｆ、３２ｆとし、頂部縫製部６０と中央縫製部６１との間の周縁部をポケット開口部３１ｆにして構成している。すなわち、１つのポケット３０ｆは、頂部縫製部６０の中心に左右側に２つのポケット開口部３１ｆを有する。
【００８１】
このような構成により、ポケット付き風呂敷Ａ６を物品包装形態とする際には、対角線状にある頂部縫製部６０同士を目安にして把握しやすくして頂部縫製部６０同士を突き合わせて縛り結束する結束作業を容易に行うことができ、頂部縫製部６０の左右側の２つのポケット開口部３１ｆを容易に閉塞した強固な結束状態を実現できる。
【００８２】
また、ポケット付き風呂敷Ａ６の物品包装形態における結束部分を人手で把持するための把持部として使用した際には、結束部分からの不用意な結束解除を可及的防止することができ、同結束部分と物品を包装した部分との境目部分、すなわち把持部の基部に相当する部分に集中負荷する荷重応力を各風呂敷１０、２０面に効果的に分散することができ、風呂敷Ａ７の強度を可及的向上することができる。
【００８３】
［実施例８］
図１０は実施例８に係るポケット付き風呂敷の展開状態における構成を示す平面図、及びその使用例を示す説明図である。実施例８に係るポケット付き風呂敷Ａ８は、実施例５と略同様の構成を備えるが、手提げ用の２つの帯紐７０、７０’を底部縫製部５０ｇの両側縁部に当接するように平行配置して風呂敷Ａ８の裏面側で縫着している。
【００８４】
具体的には、２つの帯紐７０、７０’は、図１０（ａ）に示すように、それぞれ円形の底部縫製部５０ｇの接線をなすように底部縫製部５０ｇの周縁部、すなわち中央縫着部４１ｇに接触するように平行配置すると共に伸延方向をポケット付き風呂敷Ａ８の１つの対角線に沿うように配置して下側風呂敷２０に縫着している。
【００８５】
また、２つの帯紐７０、７０’の各端部７１ａ、７１ａ’、７１ｂ、７１ｂ’は、図１０（ａ）に示すように平面視でポケット付き風呂敷Ａ８の角部１２両側近傍から外方露出状態としている。
【００８６】
すなわち、帯紐７０、７０’は、中央部を左右側縁に沿うように下側風呂敷２０の裏面に縫着することにより方形状の帯紐固定縫製部７２、７２’とすると共に、各帯紐固定縫製部７２、７２’の両側を結束して手提げ紐とするための結束自由端部７１ａ、７１ｂ、７１ａ’、７１ｂ’としている。
【００８７】
また、帯紐固定縫製部７２、７２’は、に底部縫製部５０を中心に対向する２つのポケット３０ｇのポケット開口部３１ｇに干渉しないように、ポケット３０ｇの左右端縁部３４ｇ、３４ｇ’の外側位置まで縫着して形成している。また、各結束自由端部７１ａ、７１ｂ、７１ａ’、７１ｂ’の長さは同じ長さとしている。
【００８８】
かかる帯紐７０、７０’の幅員は特に限定されることはなく例えば3cm〜4cmとすることができる。また、帯紐７０、７０’の長さは、ポケット付き風呂敷Ａ８を角部同士で結束した包装形態において、結束自由端部同士７１ａ、７１ａ’、７１ｂ、７１ｂ’同士を結束した際に、帯紐７０、７０’の結び目と包装形態のポケット付き風呂敷布Ａ８の上面との間に隙間が出来る程度の長さとする。帯紐７０、７０’の長さは、例えば、ポケット付き風呂敷Ａ８の対角線長さと略同じとすることができる。
【００８９】
このような構成により、図１０（ｂ）に示すようにポケット付き風呂敷Ａ８を包装形態にした状態で、さらにその外側の帯紐７０、７０’のそれぞれの結束自由端部同士を７１ａ、７１ｂ、７１ａ’、７１ｂ’を結束して各帯紐７０、７０’を無端状にすれば、帯紐７０、７０’を２本の手提げ紐として機能させることができる。
【００９０】
しかも、帯紐７０、７０’を２本の手提げ紐として使用した際には、風呂敷布Ａ８内に結束収納した物品が例えば重量物であったとしても、底部縫製部５０の両側縁に沿って各帯紐７０、７０’が平行に縫着されているために２つの帯紐７０、７０’が物品をその底部両側から支持して物品の吊り下げ状態を安定させ、同帯紐７０、７０’を把持して移動する際の帯紐７０、７０’における手提げ機能を十分に発揮させることができる効果がある。
【００９１】
以上、説明してきたように、本発明に係るポケット付き風呂敷によれば、重ねた二枚の方形風呂敷は通常の風呂敷として物品の包装に使用できると共に、小物を収納する必要が生じた場合は二枚の方形風呂敷の間の空間を小物収納用のポケットとして使用でき、使用時には方形風呂敷の周縁部のポケット開口部から小物の出し入れをすることができるので風呂敷としての使用形態でもポケットとしての機能を損なうことなく多機能の使い勝手のよい風呂敷を提供することができる効果がある。
【００９２】
特に、風呂敷を角部同士で結束して包装形態にした場合にポケット開口部は角部の結束部分で密に圧着されて不用意に開き収納物が風呂敷外にこぼれ落ちるのを防止することができる効果がある。
【００９３】
また、ポケット開口部の左右端縁部近傍と底部縫製部との間を縫製することによりポケット開口部に連なるポケット側縁部を形成したことにより、使用しやすいポケット形状を構成するができる効果がある。
【００９４】
また、重ねた二枚の方形風呂敷の角部において下側または上側の風呂敷のいずれかの角部を一部切削したことにより、ポケット開口部を風呂敷の角部の位置で使用しやすい形状構造に形成することができるためポケットからの小物の出し入れが容易となる効果がある。
【００９５】
また、重ねた二枚の方形風呂敷の角部に開口したポケット開口部を除いた状態で二枚の方形風呂敷の周縁部を一体縫製することにより方形風呂敷の二枚重ね空間部をポケット開口部に連なる小物収納用のポケットとしたことにより、風呂敷を角部同士を結束して収納物品を包装にした場合にポケット開口部は角部の結束部分で閉塞されることになるので不用意に開き収納物が風呂敷外にこぼれ落ちるのを防止することができる効果がある。
【符号の説明】
【００９６】
Ａ１  ポケット付き風呂敷
１０  上側風呂敷
２０  下側風呂敷
１２、２２  角部
３０  ポケット
３１  ポケット開口部
３２、３２’    ポケット側縁部
４０  周縁縫着部
Ｂ  物品
Ｃ  小物
【図１】
2020203702.tif 000003
【図２】
2020203702.tif 000004
【図３】
2020203702.tif 000005
【図４】
2020203702.tif 000006
【図５】
2020203702.tif 000007
【図６】
2020203702.tif 000008
【図７】
2020203702.tif 000009
【図８】
2020203702.tif 000010
【図９】
2020203702.tif 000011
【図１０】
2020203702.tif 000012